(57)【要約】【課題】  壁面における防水層立ち上がり部の雨水、紫外線、太陽熱等からの保護を高能率な施工効率の下に、低廉かつ容易に実現する。【解決手段】防水層立ち上がり端部を壁面に固定するとともに前記端部とその近傍を遮蔽して雨水の浸入あるいは紫外線、太陽光線等による劣化現象を防止するための保護金具と、保護金具により覆われる前記防水層の立ち上がり部とを具え、保護金具は、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出するバックアップ材係止部と、これに係合固定されたバックアップ材から構成した防水層立ち上がり端部保護構造と前記保護金具を提供して上記課題を解決する。【選択図】  図１
2005090076.tif 000002
【特許請求の範囲】
【請求項１】
壁面凹部において床面から壁面まで延伸される防水層の立ち上がり部の雨水、紫外線、太陽熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記保護金具により覆われる前記防水層の立ち上がり部と、壁面凹部の上端近傍において保護金具の上端と壁面張り出し部との間に充填される第１シーリング部と、防水層立ち上がり端部の端面に充填される第２シーリング部と、前記第１および第２のシーリング部の間に介装されるバックアップ材とを具え、
前記保護金具は、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出するバックアップ材係止部とから構成したことを特徴とする壁面における防水層立ち上がり端部保護構造。
【請求項２】
請求項１記載の防水層立ち上がり端部保護構造において、前記バックアップ材は断面ほぼ円形をなす棒状の弾性材で構成され長手方向に形成した切り込みにより前記保護金具における前記バックアップ材係止部に係合させたことを特徴とする壁面における防水層立ち上がり端部保護構造。
【請求項３】
請求項２記載の防水層立ち上がり端部保護構造において、前記押さえ部による防水層立ち上がり端部の壁面への固定はビス止めによりなし、前記カバー部にはビス止め用の作業孔を設けたことを特徴とする壁面における防水層立ち上がり端部保護構造。
【請求項４】
壁面における防水層立ち上がり端部とその近傍を覆って雨水の浸入あるいは紫外線、太陽光線等による劣化現象を防止するための保護金具であって、
前記保護金具は、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出してシーリング材のバックアップ材を保持するバックアップ材係止部とから構成したことを特徴とする防水層立ち上がり端部用の保護金具。
【請求項５】
壁面における防水層立ち上がり端部とその近傍を覆って雨水の浸入あるいは紫外線、太陽光線等による劣化現象を防止するためのバックアップ材付き保護金具であって、
前記保護金具は、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出するバックアップ材係止部と、このバックアップ材係止部に係合するシーリング材のバックアップ材からなることを特徴とする防水層立ち上がり端部用のバックアップ材付き保護金具。
【請求項６】
請求項５記載の保護金具において、前記バックアップ材は断面ほぼ円形をなす棒状の弾性材で構成され長手方向に形成した切り込みにより前記保護金具における前記バックアップ材係止部に係合させたことを特徴とする防水層立ち上がり端部用のバックアップ材付き保護金具。
【請求項７】
請求項６記載の保護金具において、前記押さえ部による防水層立ち上がり端部の壁面への固定はビス止めによりなすため、前記カバー部にはビス止め用の作業孔を設けたことを特徴とする防水層立ち上がり端部用のバックアップ材付き保護金具。
【発明の詳細な説明】
【技術分野】
【０００１】
本願発明は、建造物の屋上等において、壁面まで延伸された防水層の端部保護構造ならびにこれに用いるバックアップ材付き保護金具に関するものである。
【背景技術】
【０００２】
屋上の周壁その他の壁面まで延伸された防水層の立ち上がりの保護構造としては、従来図４に示すようなものが知られている。
図において、１は屋上のコンクリート床面、２は屋上の四周に形成される壁面、３は防水層で、この防水層３はコンクリート床面１から延伸され壁面２上の凹部２ａに立ち上がり部４が形成されている。
立ち上がり部４は、金具５により壁面に固定される一方、立ち上がり部とその近傍を覆って雨水の浸入あるいは紫外線、太陽光線等による劣化現象を防止するようになっている。
【０００３】
すなわち、金具５は充填されるシーリング材を壁面等に当接させるためのシーリング材保持部５ａと、このシーリング材保持部５ａの一端から垂下して防水層立ち上がり端部を壁面との間で覆うカバー部５ｂと、前記シーリング材保持部５ａの他端から垂下して防水層立ち上がり部に当接してこれを壁面に固定する押さえ部５ｃと、前記シーリング材保持部５ａから斜め上方に突出して凹部２ａの壁面２に当接して後述のバックアップ材とシーリング材とを区画する区画部５ｄとからなっている。
【０００４】
また、６は前記シーリング材保持部５ａと凹部２ａの頂部との間に充填された第１シール、７は第１シール６の後方に位置するバックアップ材、８は防水層の立ち上がり部４の上端部に添着される第２シールである。第１シール６の後方に設置されるバックアップ材はスポンジ等の弾性樹脂材で形成され温度変化、コンクリート壁面２の変動等による第１シール６の動きを吸収してそのシーリングの耐久性を維持するようになっている。
このようにして、防水層３の壁面２における立ち上がり部4の端部には、言わば二重シールが施されている。このような二重シールは、壁面を伝わる大量の雨水や、紫外線、太陽熱から立ち上がり部4の端部のシーリングを保護するためには必要不可欠であり、上記で、例えば、第２シール８の保護手段としての金具等を設けず、第２シール８のみを単独で設けた場合、第２シール８部分の耐候性は著しく低下し、極めて短時間のうちにシール部分が劣化し雨水が浸入してしまう。
【特許文献１】特開平２−２８５１３９号公報
【発明の開示】
【発明が解決しようとする課題】
【０００５】
しかしながら、上記従来の技術には次のような不都合があった。
図４に示す保護構造では、先ず、防水層３の立ち上がり部４の端部に第２シール８を形成し、次いで金具５の押さえ部５ｃによりを立ち上がり部４を壁面２にビス止め固定した上、区画部５ｄ上方の空間にバックアップ材を挿入してからシーリング材を充填して第１シール６を形成すると言うように数工程を必要とし、施工コスト、施工効率の点で問題があった。
また、図４に示す保護構造の実際の施工は、先ず防水工事専門メーカーが防水層の敷設を担当し、防水層３の立ち上がり部４の端部に第２シール８を形成するまでを行い、防水工事終了とされる。これ以降は防水工事とは切り離して全く別種の工事として扱われ、防水工事の完了を待って、防水工事専門メーカーとは別の施工業者が金具５により以降の作業を担当するようになっている。
しかしながら、工事をこのように区分してしまうと、工期の遅れ、施工コストの増加等の不都合が生じるばかりでなく、防水の安全性も確保できない虞が生じる。  すなわち、第２シール８を保護するための金具５の取り付け作業、バックアップ材の設置、第１シールの形成等は防水工事の重要な部分であり、この作業を防水分野の全般に通暁する防水専門メーカーが担当してこそ防水の安全性の確保が実現できるのである。
【課題を解決するための手段】
【０００６】
本願発明は、壁面凹部において床面から壁面まで延伸される防水層の立ち上がり部の雨水、紫外線、太陽熱等に対する保護構造において、防水層立ち上がり端部を壁面に固定するとともに前記端部とその近傍を遮蔽して雨水の浸入あるいは紫外線、太陽光線等による劣化現象を防止するための保護金具と、前記保護金具により覆われる前記防水層の立ち上がり部と、壁面凹部の上端近傍において保護金具の上端と壁面張り出し部との間に充填される第１シーリング部と、防水層立ち上がり端部の端面に充填される第２シーリング部と、前記第１および第２のシーリング部の間に介装されるバックアップ材とを具え、
前記保護金具は、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出するバックアップ材係止部とから構成することにより、上記従来の課題を解決しようとするものである。
【０００７】
また、上記の防水層立ち上がり端部保護構造において、前記バックアップ材は断面ほぼ円形をなす棒状の弾性材で構成され長手方向に形成した切り込みにより前記保護金具における前記バックアップ材係止部に係合させることがある。
【０００８】
さらに、上記の防水層立ち上がり端部保護構造において、前記押さえ部による防水層立ち上がり端部の壁面への固定はビス止めによりなし、前記カバー部にはビス止め用の作業孔を設けることがある。
【０００９】
本願発明はまた、壁面における防水層立ち上がり端部とその近傍を覆って雨水の浸入あるいは紫外線、太陽光線等による劣化現象を防止するための保護金具において、
前記保護金具を、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出してシーリング材のバックアップ材を保持するバックアップ材係止部とから構成することにより上記従来の課題を解決しようとするものである。
【００１０】
さらに、本願発明は、壁面における防水層立ち上がり端部とその近傍を覆って雨水の浸入あるいは紫外線、太陽光線等による劣化現象を防止するためのバックアップ材付き保護金具において、
前記保護金具を、充填されるシーリング材を壁面等に当接させるためのシーリング材保持部と、このシーリング材保持部の一端から垂下して防水層立ち上がり端部を壁面との間で覆うカバー部と、前記シーリング材保持部の他端から垂下して防水層立ち上がり部に当接してこれを壁面に固定する押さえ部と、前記シーリング材保持部から突出するバックアップ材係止部と、このバックアップ材係止部に係合するシーリング材のバックアップ材から構成して上記従来の課題を解決しようとするものである。
【００１１】
さらに、上記の保護金具において、前記バックアップ材は断面ほぼ円形をなす棒状の弾性材で構成され長手方向に形成した切り込みにより前記保護金具における前記バックアップ材係止部に係合させる構成となすことがある。
【００１２】
またさらに、上記の保護金具において、前記押さえ部による防水層立ち上がり端部の壁面への固定はビス止めによりなすため、前記カバー部にはビス止め用の作業孔を設けることがある。
【発明の効果】
【００１３】
壁面における防水層立ち上がり端部の保護が、バックアップ材を具えた保護金具を壁面に圧接して位置決めした上でビス止め等により固定した上で外部側の第１シーリングを形成するという簡単な作業で実現できるので、適正な保護が容易に為し得るので施工効率の向上し、施工コストの低減が実現できる。
また、施工が容易であるから、防水メーカーが担当可能となり防水に係る信頼性が向上する。
【発明を実施するための最良の形態】
【００１４】
保護金具は、アルミの押し出し成形により所定の長尺に形成し、施工現場等で必要な長さに調整するようにする。アルミ材の肉厚は1mm前後が望ましい。また、保護金具の全長は40mm前後、奥行き、すなわち壁面位置から金具の外端までの距離は12mm前後とするのが望ましい。  このような寸法を採用することにより、種々の箇所に対応して使用することができ、特に防水層立ち上がりが低い箇所での施工には最適である。また、保護金具に取り付けられるバックアップ材はスポンジ等の発泡樹脂材からなる弾性材で形成した断面円形または楕円形の棒状材を用いるのが好ましい。
【実施例１】
【００１５】
図１は、壁面における防水層立ち上がり端部保護構造を示す一部切欠断面図である。
この保護構造は床面１から壁面２まで延伸される防水層３の立ち上がり部４を、雨水、紫外線、太陽熱等から保護しており、図において、５０は防水層３の立ち上がり部４をコンクリート壁面２に固定するとともに立ち上がり部４の端部とその近傍を遮蔽して雨水の浸入あるいは紫外線、太陽光線等による劣化現象を防止するための保護金具である。
また、６は金具５０のシーリング材保持部５０ａと壁面２の凹部２ａの頂部（張り出し部）との間に充填されるシーリング材で形成される第１シール、５１は前記第１シール６の後方に位置するバックアップ材で後述のように予め金具５０に取り付けられている。
８は、防水層３の立ち上がり部４の端部に形成される第２シールで図のように金具５０により雨水、日光等から保護される構造となっている。
なお、係止金具５０はビスによりで壁面２に固定されている。
【００１６】
図２は、保護金具５０の一部切欠斜視図、図３は図２におけるA-A線断面図である。
図示のように、前記保護金具５０は、充填されるシーリング材を壁面等に当接させるためのシーリング材保持部５０ａと、このシーリング材保持部５０ａの一端から垂下して防水層立ち上がり端部を壁面との間で覆うカバー部５０ｂと、前記シーリング材保持部５０ａの他端から垂下して防水層立ち上がり部に当接してこれを壁面に固定する押さえ部５０ｃと、前記シーリング材保持部５０ａから突出してシーリング材のバックアップ材５１を保持するバックアップ材係止部５０ｄとから構成されている。なお、５０ｅは金具を壁面に固定するためのビス止めの作業孔である。
バックアップ材５１はこの実施例では断面円形の棒状のスポンジ材で形成されていてその長手方向に形成された切り込み線を利用して金具５０のバックアップ材係止部５０ｄに係合されている。
なお、この実施例において、保護金具５０はアルミ材の押し出し成形により所定の長尺状に形成されており、施工箇所の状況にあわせて施工現場で必要な長さに調整する。  また、保護金具相互の連結は、金具の形状に合わせたジョイント板（不図示）を金具の裏側（図１、２、３で左側）に嵌め込むことにより行う。
【００１７】
次に、図１、２を中心に端部保護構造の形成手順を説明する。  まず、コンクリート壁面２の凹部２ａの壁面に沿った防水層３の立ち上がり部４の上端部に第２シール８を形成したうえ、金具５０を所定位置に取り付ける。すなわち、金具５０の押さえ部５０ｃを立ち上がり部４の所定位置に当接させると同時に、バックアップ材係止部５０ｄも壁面方向に挿入し押し込みバックアップ材５１を凹部２ａ奥の壁面２に圧接する。これによって、バックアップ材５１は凹部２ａの隅部において第２シール８、壁面２、凹部２ａの頂部に接した状態で第２シール８の上部に位置することになる。次に、作業孔５０ｅを介して金具５０の押さえ部５０ｃを防水層３の立ち上がり部４とともに壁面２にビス止めする。
次いで、前記バックアップ材５１の前方すなわち壁面の外側に形成された凹陥部にシーリング材を充填して第１シール６を形成して作業を終了する。
【図面の簡単な説明】
【００１８】
【図１】壁面における防水層立ち上がり端部保護構造を示す一部切欠断面図である。
【図２】保護金具５０の一部切欠斜視図である。
【図３】図２におけるＡ−Ａ線断面図である。
【図４】従来例を示す断面図である。
【符号の説明】
【００１９】
１        コンクリート床面
２        コンクリート壁面
３        防水層
４        防水層立ち上がり部
６        第１シール
８        第２シール
５０      保護金具
５０ａ    シーリング材保持部
５０ｂ    カバー部  
５０ｃ    押さえ部
５０ｄ    バックアップ材係止部
５１      バックアップ材
【図１】
2005090076.tif 000003
【図２】
2005090076.tif 000004
【図３】
2005090076.tif 000005
【図４】
2005090076.tif 000006